(57)【要約】【課題】通信距離や指向性を拡大することが可能なアンテナ装置を提供する。【解決手段】磁性体のそれぞれ異なる部分に巻回されたソレノイドコイルＣ１〜Ｃ４を備え、ソレノイドコイルＣ１〜Ｃ４を構成する導体パターン３１〜３５によってスパイラルコイルＣ０が形成される。本発明によれば、ソレノイドコイルＣ１〜Ｃ４を構成する導体パターン３１〜３５によってスパイラルコイルＣ０が形成されることから、小型であっても多くの磁束を捕捉することが可能となる。これにより、通信距離や指向性を拡大することが可能となる。【選択図】図１
2017069737.tif 000002
【特許請求の範囲】
【請求項１】
磁性体と、
前記磁性体のそれぞれ異なる部分に巻回された複数のソレノイドコイルと、を備え、
前記複数のソレノイドコイルを構成する導線によってスパイラルコイルの少なくとも一部が形成されることを特徴とするアンテナ装置。
【請求項２】
前記磁性体は平面シート状であり、
前記複数のソレノイドコイルは、前記磁性体のそれぞれ異なる平面位置に巻回されていることを特徴とする請求項１に記載のアンテナ装置。
【請求項３】
前記磁性体は、前記スパイラルコイルの内径部を定義する多角形領域を有し、
前記複数のソレノイドコイルは、前記多角形領域のそれぞれ対応する２つの頂点を結ぶ位置に配置されていることを特徴とする請求項２に記載のアンテナ装置。
【請求項４】
前記多角形領域は四角形であり、前記複数のソレノイドコイルの数は４個であることを特徴とする請求項３に記載のアンテナ装置。
【請求項５】
前記複数のソレノイドコイルは、前記多角形領域から見て互いに巻回方向が同じであることを特徴とする請求項３又は４に記載のアンテナ装置。
【請求項６】
前記複数のソレノイドコイルの少なくとも２つは、前記多角形領域から見て互いに巻回方向が逆であることを特徴とする請求項３又は４に記載のアンテナ装置。
【請求項７】
前記磁性体は、金属粉を含有する磁性樹脂シートであることを特徴とする請求項２乃至６のいずれか一項に記載のアンテナ装置。
【請求項８】
前記複数のソレノイドコイルのそれぞれは、前記磁性樹脂シートの一方の主面に形成された第１導体パターンと、前記磁性樹脂シートの他方の主面に形成された第２導体パターンと、前記磁性樹脂シートを貫通して設けられ、前記第１導体パターンの端部と前記第２導体パターンの端部を接続するスルーホール導体とを含むことを特徴とする請求項７に記載のアンテナ装置。
【請求項９】
前記複数のソレノイドコイルのぞれぞれは、前記第１導体パターンの数と前記第２導体パターンの数が相違することを特徴とする請求項８に記載のアンテナ装置。
【発明の詳細な説明】
【技術分野】
【０００１】
本発明はアンテナ装置に関し、特に、ソレノイドコイルとスパイラルコイルを含むアンテナ装置に関する。
【背景技術】
【０００２】
近年、スマートフォン等の携帯無線機器にはＲＦＩＤ（Radio Frequency Identification：電波による個体識別）システムが搭載されており、そのための通信手段としてリーダ・ライタ等と近距離無線通信を行うためのアンテナ装置が搭載されている。
【０００３】
この種のアンテナ装置としては、例えば特許文献１に記載されたアンテナ装置が知られている。特許文献１に記載されたアンテナ装置は、平面導体の周縁部と平面視で重なるよう、表面実装型のコイルアンテナを複数個実装した構成を有している。これにより、平面導体がブースターアンテナとして機能するとされている。
【先行技術文献】
【特許文献】
【０００４】
【特許文献１】特許第５６９６７７０号公報
【発明の概要】
【発明が解決しようとする課題】
【０００５】
しかしながら、特許文献１に記載のアンテナ装置は、広い平面導体が埋め込まれた基板を使用する必要があるため、基板の利用効率が悪化する。また、小型のコイルアンテナを分散配置する構成であるため、コイルアンテナを通過する磁束が不十分であり、通信距離や指向性を十分に拡大することが難しいという問題もある。
【０００６】
したがって、本発明は、多くの磁束を捉えることにより、通信距離や指向性を拡大することが可能なアンテナ装置を提供することを目的とする。
【課題を解決するための手段】
【０００７】
本発明によるアンテナ装置は、磁性体と、前記磁性体のそれぞれ異なる部分に巻回された複数のソレノイドコイルとを備え、前記複数のソレノイドコイルを構成する導線によってスパイラルコイルの少なくとも一部が形成されることを特徴とする。
【０００８】
本発明によれば、ソレノイドコイルを構成する導線によってスパイラルコイルが形成されることから、小型であっても多くの磁束を捕捉することが可能となる。これにより、通信距離や指向性を拡大することが可能となる。
【０００９】
本発明において、前記磁性体は平面シート状であり、前記複数のソレノイドコイルは前記磁性体のそれぞれ異なる平面位置に巻回されていることが好ましい。これによれば、薄型化を実現することが可能となる。
【００１０】
この場合、前記磁性体は前記スパイラルコイルの内径部を定義する多角形領域を有し、前記複数のソレノイドコイルは前記多角形領域のそれぞれ対応する２つの頂点を結ぶ位置に配置されていることが好ましい。これによれば、より多くの磁束を捕捉することが可能となる。ここで、多角形領域が四角形であれば、ソレノイドコイルの数は４個となる。また、前記複数のソレノイドコイルは前記多角形領域から見て互いに巻回方向が同じであっても構わないし、前記複数のソレノイドコイルの少なくとも２つは前記多角形領域から見て互いに巻回方向が逆であっても構わない。
【００１１】
本発明において、前記磁性体は金属粉を含有する磁性樹脂シートであることが好ましい。これによれば、磁性樹脂シートを基板として用いることが可能となる。この場合、前記複数のソレノイドコイルのそれぞれは、前記磁性樹脂シートの一方の主面に形成された第１導体パターンと、前記磁性樹脂シートの他方の主面に形成された第２導体パターンと、前記磁性樹脂シートを貫通して設けられ、前記第１導体パターンの端部と前記第２導体パターンの端部を接続するスルーホール導体とを含むことが好ましい。これによれば、磁性樹脂シートの表裏を用いてソレノイドコイルとスパイラルコイルを構成することが可能となる。
【００１２】
この場合、前記複数のソレノイドコイルのぞれぞれは、前記第１導体パターンの数と前記第２導体パターンの数が相違することが好ましい。これによれば、より数の多いパターンがスパイラルコイルにおいて優勢となる。
【発明の効果】
【００１３】
このように、本発明によれば、通信距離や指向性が拡大された高効率なアンテナ装置を提供することが可能となる。
【図面の簡単な説明】
【００１４】
【図１】図１は、本発明の第１の実施形態によるアンテナ装置１０Ａの構成を示す略平面図である。
【図２】図２（ａ）は図１に示すＡ−Ａ線に沿った略断面図であり、図２（ｂ）は図１に示すＢ−Ｂ線に沿った略断面図である。
【図３】図３は、アンテナ装置１０Ａによって生じる磁束φの広がりを説明するための模式図である。
【図４】図４は、第１の実施形態の変形例によるアンテナ装置１０Ａ'の構成を示す略平面図である。
【図５】図５は、本発明の第２の実施形態によるアンテナ装置１０Ｂの構成を示す略断面図である。
【図６】図６は、第２の実施形態の変形例によるアンテナ装置１０Ｂ'の構成を示す略断面図である。
【図７】図７は、本発明の第３の実施形態によるアンテナ装置１０Ｃの構成を示す略平面図である。
【図８】図８は、本発明の第４の実施形態によるアンテナ装置１０Ｄの構成を示す略平面図である。
【図９】図９は、本発明の第５の実施形態によるアンテナ装置１０Ｅの構成を示す略平面図である。
【図１０】図１０は、アンテナ装置１０Ｅによって生じる磁束φの向きを説明するための模式図である。
【図１１】図１１は、第５の実施形態の変形例によるアンテナ装置１０Ｅ'の構成を示す略平面図である。
【図１２】図１２は、アンテナ装置１０Ｅ'によって生じる磁束φの向きを説明するための模式図である。
【発明を実施するための形態】
【００１５】
以下、図面を参照しながら、本発明の好ましい実施形態について詳細に説明する。
【００１６】
図１は、本発明の第１の実施形態によるアンテナ装置１０Ａの構成を示す略平面図である。また、図２（ａ）は図１に示すＡ−Ａ線に沿った略断面図であり、図２（ｂ）は図１に示すＢ−Ｂ線に沿った略断面図である。
【００１７】
図１及び図２に示すように、本実施形態によるアンテナ装置１０Ａは、磁性樹脂シート２０Ａと、磁性樹脂シート２０Ａの一方の主面２１に形成された導体パターン３１〜３５と、磁性樹脂シート２０Ａの他方の主面２２に形成された導体パターン４１〜４４とを備えている。
【００１８】
磁性樹脂シート２０Ａは、導体パターン３１〜３５、４１〜４４を支持する基板として機能するとともに、磁路として機能する平面シート状の磁性体であり、磁性金属粉を樹脂バインダ中に分散させた磁性金属粉含有樹脂をシート状に加工したものである。磁性金属粉には、パーマロイ（Ｆｅ−Ｎｉ合金）、スーパーパーマロイ（Ｆｅ−Ｎｉ−Ｍｏ合金）、センダスト（Ｆｅ−Ｓｉ−Ａｌ合金）、Ｆｅ−Ｓｉ合金、Ｆｅ−Ｃｏ合金、Ｆｅ−Ｃｒ合金、Ｆｅ−Ｃｒ−Ｓｉ合金等を用いることができる。また樹脂バインダには、フェノール樹脂、ユリア樹脂、メラミン樹脂、ポリテトラフルオロエチレン、ポリエチレン、ポリプロピレン、ポリスチレン、ポリエーテルサルフォン、ポリフェニレンスルフィド、ＰＥＴ（ポリエチレンテレフタレート）、ＰＢＴ（ポリブチレンテレフタレート）、ポリアリレート、シリコン樹脂、ジアリルフタレート、ポリイミド等を用いることができる。磁性金属粉は、アスペクト比の大きな扁平形状であることが好ましい。アスペクト比の大きな扁平金属粉を用いれば、シートの厚み方向に扁平金属粉が重なるため、磁性樹脂シートの面方向の実効的な透磁率を高めることができる。
【００１９】
図１及び図２（ｂ）に示すように、導体パターン３１〜３５の所定の端部と、導体パターン４１〜４４の所定の端部は、磁性樹脂シート２０Ａを貫通するスルーホール導体ＴＨによって接続されている。例えば、導体パターン４１の一端はスルーホール導体ＴＨによって導体パターン３１の一端に接続され、導体パターン４１の他端はスルーホール導体ＴＨによって導体パターン３２の一端に接続される。
【００２０】
図１に示すように、導体パターン３１〜３４はＸ方向に延在する部分を有しており、所定の端部同士が導体パターン４１又は４３によって接続される。例えば、導体パターン３１の右側端部は、導体パターン４１を介して、導体パターン３２の左側端部に接続される。また、導体パターン３３の左側端部は、導体パターン４３を介して、導体パターン３４の右側端部に接続される。
【００２１】
さらに、導体パターン３２〜３５はＹ方向に延在する部分を有しており、所定の端部同士が導体パターン４２又は４４によって接続される。例えば、導体パターン３２の下側端部は、導体パターン４２を介して、導体パターン３３の上側端部に接続される。また、導体パターン３４の上側端部は、導体パターン４４を介して、導体パターン３５の下側端部に接続される。
【００２２】
そして、導体パターン３１と導体パターン３５には、ＲＦ回路５０が接続される。
【００２３】
このような構造により、１つのスパイラルコイルＣ０と、４つのソレノイドコイルＣ１〜Ｃ４が形成される。スパイラルコイルＣ０は、四角形の領域Ｒを内径部とする平面コイルであり、領域Ｒを構成する４つの辺Ｌ１〜Ｌ４に沿ってソレノイドコイルＣ１〜Ｃ４がそれぞれ設けられる。
【００２４】
ソレノイドコイルＣ１は、Ｘ方向に延在する導体パターン３１，３２，４１及びこれらを接続するスルーホール導体ＴＨによって構成され、磁性樹脂シート２０Ａに１周半巻回されている。巻回方向は、導体パターン３１の左側端部を始点とした場合、領域Ｒから見て時計回りである。
【００２５】
ソレノイドコイルＣ２は、Ｙ方向に延在する導体パターン３２，３３，４２及びこれらを接続するスルーホール導体ＴＨによって構成され、磁性樹脂シート２０Ａに１周半巻回されている。巻回方向は、導体パターン３２の上側端部を始点とした場合、領域Ｒから見て時計回りである。
【００２６】
ソレノイドコイルＣ３は、Ｘ方向に延在する導体パターン３３，３４，４３及びこれらを接続するスルーホール導体ＴＨによって構成され、磁性樹脂シート２０Ａに１周半巻回されている。巻回方向は、導体パターン３３の右側端部を始点とした場合、領域Ｒから見て時計回りである。
【００２７】
ソレノイドコイルＣ４は、Ｙ方向に延在する導体パターン３４，３５，４４及びこれらを接続するスルーホール導体ＴＨによって構成され、磁性樹脂シート２０Ａに１周半巻回されている。巻回方向は、導体パターン３４の下側端部を始点とした場合、領域Ｒから見て時計回りである。
【００２８】
このように、４つのソレノイドコイルＣ１〜Ｃ４は、領域Ｒから見て互いに巻回方向が同じである。このため、ＲＦ回路５０によって導体パターン３１から導体パターン３５に電流を流すと、４つのソレノイドコイルＣ１〜Ｃ４によって、領域Ｒの内側から外側に向けて磁界が発生する。これにより、磁束が平面方向に大きく広がることになる。
【００２９】
さらに、導体パターン３１〜３５に流れる電流の方向は、平面的に見ていずれも時計回りであることから、これらによってスパイラルコイルＣ０が形成される。これにより、模式図である図３に示すように、スパイラルコイルＣ０によって集められた磁束φが平面方向に大きく広がることになる。したがって、本実施形態によるアンテナ装置１０ＡをＲＦＩＤシステムに用いれば、スパイラルコイルＣ０によって垂直方向（Ｚ方向）における指向性が高められるとともに、４つのソレノイドコイルＣ１〜Ｃ４によって水平方向（ＸＹ平面方向）へ指向性が広げられることから、良好な通信を行うことが可能な角度が広くなる。
【００３０】
但し、裏面側の導体パターン４１〜４４については、流れる電流の方向が平面的に見ていずれも反時計回りであることから、スパイラルコイルＣ０によって生成される磁束を打ち消す方向に作用する。しかしながら、各辺Ｌ１〜Ｌ４に沿って設けられた導体パターンの本数はいずれも３本であり、このうち２本には時計回りに電流が流れ、残りの１本に反時計回りに電流が流れるため、時計回りに流れる電流が優勢となり、スパイラルコイルＣ０として正しく機能する。
【００３１】
このように、本実施形態によるアンテナ装置１０Ａは、１つのスパイラルコイルＣ０と４つのソレノイドコイルＣ１〜Ｃ４を備えていることから、指向性を大きく広げることが可能となる。しかも、ソレノイドコイルＣ１〜Ｃ４を構成する導体パターンによってスパイラルコイルが形成されることから、ソレノイドコイルとスパイラルコイルを別個に形成する場合と比べて、小型化を実現することが可能となる。
【００３２】
また、本実施形態においては、磁性樹脂シート２０Ａに導体パターン３１〜３５、４１〜４４を形成していることから、特許文献１のアンテナ装置のように表面実装型のコイル部品が不要であり、部品点数を削減することが可能となる。
【００３３】
尚、上述したアンテナ装置１０Ａにおいては、ソレノイドコイルＣ１〜Ｃ４がいずれも１周半巻回された導線によって構成されているが、巻回数がこれに限定されるものではない。例えば、図４に示す変形例によるアンテナ装置１０Ａ'のように、導体パターン３６〜３９、４５〜４８を追加することによって、２周半のソレノイドコイルＣ１〜Ｃ４を構成することも可能であるし、それ以上の巻回数としても構わない。
【００３４】
また、ソレノイドコイルＣ１〜Ｃ４の巻回数が互いに同じであることは必須でなく、一部又は全部の巻回数が相違していても構わない。例えば、ソレノイドコイルＣ１、Ｃ３の巻回数が２周半であり、ソレノイドコイルＣ２、Ｃ４の巻回数が１周半であっても構わない。つまり、求められる特性や条件に応じて巻回数を設定すればよい。
【００３５】
図５は、本発明の第２の実施形態によるアンテナ装置１０Ｂの構成を示す略断面図である。
【００３６】
図５に示すように、本実施形態によるアンテナ装置１０Ｂは、導体パターン３１〜３５が樹脂基板６１に形成され、導体パターン４１〜４４が別の樹脂基板６２に形成されている点において、第１の実施形態によるアンテナ装置１０Ａと相違している。樹脂基板６１、６２の材料としては、ＰＥＴ樹脂などを用いることができる。導体パターン３１〜３５、４１〜４４の平面形状及びレイアウトについては、図１に示した平面形状及びレイアウトと同じであり、且つ、その接続関係も同じである。
【００３７】
本実施形態においては、磁性樹脂シート２０Ａの代わりにフェライトなどからなる平面シート状の磁性体２０Ｂが用いられており、この磁性体２０Ｂが樹脂基板６１、６２によって挟まれた構造を有している。
【００３８】
このような構成であっても、第１の実施形態によるアンテナ装置１０Ａと同様の効果を得ることができる。また、本実施形態においては、磁性体２０Ｂを基板として使用しないため、任意の磁性材料を用いることが可能となる。
【００３９】
図６は、第２の実施形態の変形例によるアンテナ装置１０Ｂ'の構成を示す略断面図である。
【００４０】
図６に示すように、本実施形態によるアンテナ装置１０Ｂ'は、単一の樹脂基板６０を用い、これを折り曲げて使用している点において、上述した第２の実施形態によるアンテナ装置１０Ｂと相違している。その他の点は、第２の実施形態によるアンテナ装置１０Ｂと同一である。このように、単一の樹脂基板６０を用いた場合であっても、第２の実施形態によるアンテナ装置１０Ｂと同様の効果を得ることができる。
【００４１】
図７は、本発明の第３の実施形態によるアンテナ装置１０Ｃの構成を示す略平面図である。
【００４２】
図７に示すように、本実施形態によるアンテナ装置１０Ｃは、ソレノイドコイルＣ１〜Ｃ４の外周にスパイラル状の導体パターン９１が追加されている点において、第１の実施形態によるアンテナ装置１０Ａと相違している。導体パターン９１は１ターンのスパイラルを構成し、スルーホール導体ＴＨ及び裏面の導体パターン９２を介して導体パターン３５に接続されている。
【００４３】
このようなスパイラル状の導体パターン９１を追加すれば、インダクタンスが増大するため、通信距離をより拡大することが可能となる。追加するスパイラル状の導体パターンのターン数については特に限定されず、２ターン以上であっても構わないし、１ターン未満（例えば半ターン）であっても構わない。また、追加するスパイラル状の導体パターンをソレノイドコイルＣ１〜Ｃ４の外周部に形成することも必須でなく、内周部に形成しても構わない。
【００４４】
図８は、本発明の第４の実施形態によるアンテナ装置１０Ｄの構成を示す略平面図である。
【００４５】
図８に示すように、本実施形態によるアンテナ装置１０Ｄは、ソレノイドコイルＣ３、Ｃ４が削除されている点において、第１の実施形態によるアンテナ装置１０Ａと相違している。つまり、ソレノイドコイルＣ１，Ｃ２を構成する要素については第１の実施形態によるアンテナ装置１０Ａと同一であるが、ソレノイドコイルＣ３，Ｃ４を構成する要素である導体パターン３４、３５、４３、４４が削除されており、その代わりに、導体パターン３３がそれ自体、スパイラル部分３３ｓを有している。スパイラル部分３３ｓの内周端は、スルーホール導体ＴＨ及び裏面の導体パターン４９を介して、導体パターン３０に接続されている。導体パターン３０は、ＲＦ回路５０に接続される。
【００４６】
このように、本発明においては、スパイラルコイルＣ０の内径部となる領域Ｒの全ての辺Ｌ１〜Ｌ４に沿ってソレノイドコイルＣ１〜Ｃ４を形成することは必須でなく、一部の辺（本実施形態では辺Ｌ１、Ｌ２）のみに沿ってソレノイドコイル（Ｃ１、Ｃ２）を形成しても構わない。この場合、ソレノイドコイルの数が減るため、磁束の平面方向における広がりは小さくなるが、スパイラルコイルによる磁束を打ち消す部分が少なくなるため、スパイラルコイルの特性を高めることが可能となる。
【００４７】
図９は、本発明の第５の実施形態によるアンテナ装置１０Ｅの構成を示す略平面図である。
【００４８】
図９に示すように、本実施形態によるアンテナ装置１０Ｅは、磁性樹脂シート２０Ａの表面側に形成された導体パターン７１〜７７と、磁性樹脂シート２０Ａの裏面側に形成された導体パターン８１〜８６を備えており、これらの対応する端部がスルーホール導体ＴＨを介して接続された構成を有している。これら導体パターン７１〜７７、８１〜８６によって形成されるソレノイドコイルＣ１〜Ｃ４のうち、ソレノイドコイルＣ１、Ｃ３の構成については第１の実施形態によるアンテナ装置１０Ａと実質的に同じである。これに対し、ソレノイドコイルＣ２、Ｃ４については、巻回方向が逆（領域Ｒから見て反時計回り）である。
【００４９】
このため、ＲＦ回路５０によって電流を流すと、図１０に示すように、ソレノイドコイルＣ１、Ｃ３によって生じる磁束φは領域Ｒの内側から外側に向かい、ソレノイドコイルＣ２、Ｃ４によって生じる磁束φは領域Ｒの外側から内側に向かう。ソレノイドコイルＣ１内を通過する磁束とソレノイドコイルＣ３内を通過する磁束の方向は互いに逆となり、ソレノイドコイルＣ２内を通過する磁束とソレノイドコイルＣ４内を通過する磁束の方向は互いに逆となる。このため、第１の実施形態によるアンテナ装置１０Ａとは異なる指向性を得ることが可能となる。
【００５０】
図１１は、第５の実施形態の変形例によるアンテナ装置１０Ｅ'の構成を示す略平面図である。
【００５１】
図１１に示すように、本実施形態によるアンテナ装置１０Ｅ'は、磁性樹脂シート２０Ａの表面側に形成された導体パターン１１１〜１１７と、磁性樹脂シート２０Ａの裏面側に形成された導体パターン１２１〜１２６を備えており、これらの対応する端部がスルーホール導体ＴＨを介して接続された構成を有している。これら導体パターン１１１〜１１７、１２１〜１２６によって形成されるソレノイドコイルＣ１〜Ｃ４のうち、ソレノイドコイルＣ２、Ｃ３については領域Ｒから見て時計回りであり、ソレノイドコイルＣ１、Ｃ４については領域Ｒから見て反時計回りである。
【００５２】
このため、ＲＦ回路５０によって電流を流すと、図１２に示すように、ソレノイドコイルＣ２、Ｃ３によって生じる磁束φは領域Ｒの外側から内側に向かい、ソレノイドコイルＣ１、Ｃ４によって生じる磁束φはは領域Ｒの内側から外側に向かう。ソレノイドコイルＣ２内を通過する磁束とソレノイドコイルＣ４内を通過する磁束の方向は互いに同じなり、ソレノイドコイルＣ１内を通過する磁束とソレノイドコイルＣ３内を通過する磁束の方向は互いに同じなる。このため、アンテナ装置１０Ａ，１０Ｅとは異なる指向性を得ることが可能となる。特に、本実施形態によるアンテナ装置１０Ｅ'は、コイル軸がリーダ・ライタのコイル軸とずれている場合であっても、磁気結合しやすいという利点を有する。これは、コイル軸が互いにずれている場合であっても、図１０に示したアンテナ装置１０Ｅと比べ、通信に寄与する磁束（有効磁束）を打ち消す磁束が生じにくくなるからである。
【００５３】
このように、本発明においては、領域Ｒから見た巻回方向が全てのソレノイドコイルにおいて同一であることは必須でなく、領域Ｒから見た巻回方向が一部のソレノイドコイルにおいて逆方向であっても構わない。
【００５４】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００５５】
例えば、上述した各実施形態では、スパイラルコイルＣ０の形状が四角形であったが、本発明がこれに限定されるものではなく、三角形、六角形、八角形など、四角形以外の多角形形状であっても構わないし、円形や楕円形であっても構わない。四角形以外の多角形形状である場合も、スパイラルコイルの内径部となる多角形領域のそれぞれ対応する２つの頂点を結ぶ位置に、２以上のソレノイドコイルを配置すればよい。
【００５６】
また、上述した各実施形態では平面シート状の磁性体を用いているが、本発明がこれに限定されるものではなく、任意の形状を有する磁性体のそれぞれ異なる部分に導線を巻回することによって、複数のソレノイドコイルを構成すればよい。
【符号の説明】
【００５７】
１０Ａ，１０Ａ'１０Ｂ，１０Ｂ'，１０Ｃ，１０Ｄ，１０Ｅ，１０Ｅ'    アンテナ装置
２０Ａ    磁性樹脂シート
２０Ｂ    磁性体
２１      磁性樹脂シートの一方の主面
２２      磁性樹脂シートの他方の主面
３０〜３９，４１〜４９，７１〜７７，８１〜８６，９１，９２，１１１〜１１７，１２１〜１２６    導体パターン
５０      ＲＦ回路
６０〜６２    樹脂基板
Ｃ０      スパイラルコイル
Ｃ１〜Ｃ４    ソレノイドコイル
Ｌ１〜Ｌ４    辺
Ｒ        多角形領域
ＴＨ      スルーホール導体
φ        磁束
【図１】
2017069737.tif 000003
【図２】
2017069737.tif 000004
【図３】
2017069737.tif 000005
【図４】
2017069737.tif 000006
【図５】
2017069737.tif 000007
【図６】
2017069737.tif 000008
【図７】
2017069737.tif 000009
【図８】
2017069737.tif 000010
【図９】
2017069737.tif 000011
【図１０】
2017069737.tif 000012
【図１１】
2017069737.tif 000013
【図１２】
2017069737.tif 000014